【手続補正書】
【提出日】平成27年12月10日(2015.12.10)
【手続補正１】
【補正対象書類名】明細書
【補正対象項目名】０１１０
【補正方法】変更
【補正の内容】
【０１１０】
本発明を、例示的な実施形態を参照しながら詳細に図示・説明したが、本発明の範囲を逸脱しない範疇で、これらの例示的な実施形態に対して様々な変更や変形が可能であることは、当業者であれば容易に理解できる。なお、そのような変更や変形は、添付の特許請求の範囲に包含される。
なお本発明は、実施態様として以下の内容を含んでいてもよい。
［実施態様１］
原油の化学組成をキャラクタリゼーションする方法であって、
プロセッサにより、特定の原油特性データを有する所与の原油について、
ｉ）各構成炭化水素分子種におけるセグメントの種類及びセグメント数の範囲を、各構成炭化水素分子の物理的特性及び化学的特性についてのデータならびに原油の物理的特性及び化学的特性についてのデータに基づいて決定する過程と、
ｉｉ）前記特定の原油特性データに基づいて、前記所与の原油を代表する化学組成を構成する各種類の構成炭化水素分子の相対割合を決定し、これによって、その所与の原油の化学組成をキャラクタリゼーションする過程と、
エンドユーザに対する出力として、前記所与の原油のキャラクタリゼーションされた化学組成を表示する過程と、
を含む、原油の化学組成のキャラクタリゼーション方法。
［実施態様２］
実施態様１に記載の原油の化学組成のキャラクタリゼーション方法において、前記セグメントの種類が：メチルセグメント；ゼロ分岐メチレンセグメント；一分岐メチレンセグメント；二分岐メチレンセグメント；シクロヘキサンセグメント；シクロヘキサン側環セグメント；シクロペンタンセグメント；シクロペンタン側環セグメント；芳香族セグメント；および芳香族側環セグメント；から選択される少なくとも一種を含む、原油の化学組成のキャラクタリゼーション方法。
［実施態様３］
実施態様１に記載の原油の化学組成のキャラクタリゼーション方法において、前記セグメントの種類及びセグメント数の範囲を決定する過程が、同族列を使わずに行われる、原油の化学組成のキャラクタリゼーション方法。
［実施態様４］
実施態様１に記載の原油の化学組成のキャラクタリゼーション方法において、さらに、
各構成炭化水素分子種の物理的特性の数値及び化学的特性の数値を、セグメントの種類及びセグメント数の範囲との関数として推定する過程、
を含む、原油の化学組成のキャラクタリゼーション方法。
［実施態様５］
実施態様１に記載の原油の化学組成のキャラクタリゼーション方法において、前記セグメントの種類及びセグメント数の範囲を決定する過程が、各種類の構成炭化水素分子に関して、その構成炭化水素分子種を定義するセグメントの種類及びセグメント数の範囲の確率分布関数を特定し、この特定の際に、前記確率分布関数の尺度パラメータ及び形状パラメータを特定することを含む、原油の化学組成のキャラクタリゼーション方法。
［実施態様６］
実施態様５に記載の原油の化学組成のキャラクタリゼーション方法において、さらに、
特定された前記確率分布関数および各種類の構成炭化水素分子の前記相対割合に基づいて、前記所与の原油の化学組成を推定する過程と、
この推定された化学組成に基づいて、前記所与の原油の物理的特性及び化学的特性を推定する過程と、
を含む、原油の化学組成のキャラクタリゼーション方法。
［実施態様７］
実施態様６に記載の原油の化学組成のキャラクタリゼーション方法において、前記所与の原油の推定される物理的特性が：沸点；比重；および粘度；から選択される少なくとも一種を含む、原油の化学組成のキャラクタリゼーション方法。
［実施態様８］
実施態様６に記載の原油の化学組成のキャラクタリゼーション方法において、前記所与の原油の推定される化学的特性が：パラフィン含有量；ナフテン含有量；芳香族含有量；炭素含有量；水素含有量；Ｃ／Ｈ比；アスファルテン分；残留炭素；硫黄含有量；窒素含有量；および全酸価；から選択される少なくとも一種を含む、原油の化学組成のキャラクタリゼーション方法。
［実施態様９］
実施態様６に記載の原油の化学組成のキャラクタリゼーション方法において、各種類の構成炭化水素分子の前記相対割合を決定する過程が、前記所与の原油の推定された物理的特性及び化学的特性を、前記特定の原油特性データにマッチングさせることにより、前記所与の原油中の各種類の構成炭化水素分子の前記相対割合を決定することを含む、原油の化学組成のキャラクタリゼーション方法。
［実施態様１０］
実施態様１に記載の原油の化学組成のキャラクタリゼーション方法において、前記構成炭化水素分子種が：パラフィン類；ナフテン類；および芳香族類；の構成炭化水素分子を含む、原油の化学組成のキャラクタリゼーション方法。
［実施態様１１］
実施態様１に記載の原油の化学組成のキャラクタリゼーション方法において、構成炭化水素分子の物理的特性についての前記データが：蒸気圧；比重；および粘度；から選択される少なくとも一種を含む、原油の化学組成のキャラクタリゼーション方法。
［実施態様１２］
実施態様１に記載の原油の化学組成のキャラクタリゼーション方法において、構成炭化水素分子の化学的特性についての前記データが：炭素含有量；水素含有量；硫黄含有量；窒素含有量；および酸素分；から選択される少なくとも一種を含む、原油の化学組成のキャラクタリゼーション方法。
［実施態様１３］
実施態様１に記載の原油の化学組成のキャラクタリゼーション方法において、前記特定の原油特性データが：沸点；比重；および粘度；から選択される少なくとも一種を含む、原油の化学組成のキャラクタリゼーション方法。
［実施態様１４］
実施態様１３に記載の原油の化学組成のキャラクタリゼーション方法において、前記特定の原油特性データが、さらに：パラフィン含有量；ナフテン含有量；芳香族含有量；炭素含有量；水素含有量；Ｃ／Ｈ比；アスファルテン含有量；残留炭素；硫黄含有量；窒素含有量；および全酸価；から選択される少なくとも一種を含む、原油の化学組成のキャラクタリゼーション方法。
［実施態様１５］
実施態様１に記載の原油の化学組成のキャラクタリゼーション方法において、さらに、
コンピュータにより、前記所与の原油のキャラクタリゼーションされた化学組成を用いて、当該所与の原油の物理的特性及び化学的特性を予測する過程、
を含む、原油の化学組成のキャラクタリゼーション方法。
［実施態様１６］
実施態様１５に記載の原油の化学組成のキャラクタリゼーション方法において、さらに、
コンピュータにより、前記所与の原油のキャラクタリゼーションされた化学組成および／または当該所与の原油の予測された物理的特性及び化学的特性を用いて、石油精製作業をプランニングおよび／またはスケジューリングおよび／またはシミュレートおよび／または設計および／または最適化および／または制御する過程、
を含む、原油の化学組成のキャラクタリゼーション方法。
［実施態様１７］
原油をブレンドする方法であって、
ブレンドを構成する２種以上の原油試料のそれぞれを、化学組成ならびに予測された物理的特性及び予測された化学的特性によってキャラクタリゼーションし、このキャラクタリゼーションにより、前記２種以上の原油試料のそれぞれのキャラクタリゼーション結果を得る過程と、
前記キャラクタリゼーション結果に基づいて、前記２種以上の原油試料の各割合を、当該各割合で前記原油試料を配合した場合のブレンドが特定の化学組成ならびに予測された物理的特性及び予測された化学的特性を有するように決定する過程と、
前記２種以上の原油試料を、決定された前記各割合の量で配合してブレンドを製造する過程と、
を含み、前記２種以上の原油試料のそれぞれをキャラクタリゼーションする過程が：
各原油試料が、特定の原油特性データを有する所与の原油であり、プロセッサにより、その所与の原油について、
ｉ）構成炭化水素分子におけるセグメントの種類及びセグメント数の範囲を、各種類の構成炭化水素分子の物理的特性及び化学的特性についてのデータならびに原油の物理的特性及び化学的特性についてのデータに基づいて決定する副過程と、
ｉｉ）前記特定の原油特性データに基づいて、前記所与の原油の化学組成を構成する各種類の構成炭化水素分子の相対割合を決定し、これにより、その所与の原油の化学組成をキャラクタリゼーションする副過程と、
ｉｉｉ）前記所与の原油のキャラクタリゼーションされた化学組成を用いて、当該所与の原油の物理的特性及び化学的特性を予測する副過程と、
によって行われる、原油のブレンド方法。
［実施態様１８］
実施態様１７に記載の原油のブレンド方法において、前記セグメントの種類が：メチルセグメント；ゼロ分岐メチレンセグメント；一分岐メチレンセグメント；二分岐メチレンセグメント；シクロヘキサンセグメント；シクロヘキサン側環セグメント；シクロペンタンセグメント；シクロペンタン側環セグメント；芳香族セグメント；および芳香族側環セグメント；から選択される少なくとも一種を含む、原油のブレンド方法。
［実施態様１９］
実施態様１７に記載の原油のブレンド方法において、前記セグメントの種類及びセグメント数の範囲を決定する副過程が、同族列を使わずに行われる、原油のブレンド方法。
［実施態様２０］
実施態様１７に記載の原油のブレンド方法において、さらに、
各種類の構成炭化水素分子の物理的特性の数値及び化学的特性の数値を、セグメントの種類及びセグメント数の範囲との関数として推定する過程、
を含む、原油のブレンド方法。
［実施態様２１］
実施態様１７に記載の原油のブレンド方法において、前記セグメントの種類及びセグメント数の範囲を決定する副過程が、各種類の構成炭化水素分子に関して、その種類の構成炭化水素分子を定義するセグメントの種類及びセグメント数の範囲の確率分布関数を特定し、この特定の際に、前記確率分布関数の尺度パラメータ及び形状パラメータを特定することを含む、原油のブレンド方法。
［実施態様２２］
実施態様２１に記載の原油のブレンド方法において、さらに、
特定された前記確率分布関数および各種類の構成炭化水素分子の前記相対割合に基づいて、前記所与の原油の化学組成を推定する副過程、および
この推定された化学組成に基づいて、前記所与の原油の物理的特性及び化学的特性を推定する副過程、
を含む、原油のブレンド方法。
［実施態様２３］
実施態様２２に記載の原油のブレンド方法において、前記所与の原油の推定される物理的特性が：沸点；比重；および粘度；から選択される少なくとも一種を含む、原油のブレンド方法。
［実施態様２４］
実施態様２２に記載の原油のブレンド方法において、前記所与の原油の推定される化学的特性が：パラフィン含有量；ナフテン含有量；芳香族含有量；炭素含有量；水素含有量；Ｃ／Ｈ比；アスファルテン分；残留炭素；硫黄含有量；窒素含有量；および全酸価；から選択される少なくとも一種を含む、原油のブレンド方法。
［実施態様２５］
実施態様２２に記載の原油のブレンド方法において、各種類の構成炭化水素分子の前記相対割合を決定する副過程が、前記所与の原油の推定された物理的特性及び化学的特性を、前記特定の原油特性データにマッチングさせることにより、前記所与の原油中の各種類の構成炭化水素分子の前記相対割合を決定することを含む、原油のブレンド方法。
［実施態様２６］
実施態様１７に記載の原油のブレンド方法において、前記構成炭化水素分子の種類が：パラフィン類；ナフテン類；および芳香族類；の構成炭化水素分子を含む、原油のブレンド方法。
［実施態様２７］
実施態様１７に記載の原油のブレンド方法において、構成炭化水素分子の物理的特性についての前記データが：蒸気圧；比重；および粘度；から選択される少なくとも一種を含む、原油のブレンド方法。
［実施態様２８］
実施態様１７に記載の原油のブレンド方法において、構成炭化水素分子の化学的特性についての前記データが：炭素含有量；水素含有量；硫黄含有量；窒素含有量；および酸素分；から選択される少なくとも一種を含む、原油のブレンド方法。
［実施態様２９］
実施態様１７に記載の原油のブレンド方法において、前記特定の原油特性データが：沸点；比重；粘度；パラフィン含有量；ナフテン含有量；芳香族含有量；炭素含有量；水素含有量；Ｃ／Ｈ比；アスファルテン含有量；残留炭素；硫黄含有量；窒素含有量；および全酸価；から選択される少なくとも一種を含む、原油のブレンド方法。